(57)【要約】外部フレームを有するモジュール式ゴルフバッグが提供される。複数のポールが、ゴルフクラブを受入れ可能なフレームトップとフレームボトムとを接続する。柔軟なバッグ本体が、複数のポール内側にて、フレームトップを経てゴルフクラブを受入れ可能な空洞が形成されるように、フレームトップとフレームボトムとの間に延在する。複数のポールスリーブが、柔軟なバッグ本体に取付けられる。各ポールスリーブは、各ポールが少なくとも１つのポールスリーブを突き通るように、ポールの長さの少なくとも一部を包囲する。複数のポールスリーブは、複数のポールに柔軟なバッグ本体を拡げた状態で固定することにより柔軟なバッグ本体に構造を与える。少なくとも１つの追加の収納コンパートメントを、複数のポールのうちの少なくとも２つのポール間に取外し可能に接続してもよい。【選択図】図２
2014531953.tif 000002
【特許請求の範囲】
【請求項１】
ゴルフクラブを受入れ可能なフレームトップと、
約ゴルフクラブの長さ分、前記フレームトップの下方に位置するフレームボトムと、
前記フレームトップと前記フレームボトムとを接続する複数のポールと、
前記フレームトップを経てゴルフクラブを受入れ可能な空洞が形成されるように、前記複数のポールの内側において前記フレームトップと前記フレームボトムとの間に延在する柔軟なバッグ本体と、
前記柔軟なバッグ本体に取付けられ、前記複数のポールのうちの１つのポールの長さの少なくとも一部をそれぞれが包囲する複数のポールスリーブであって、前記複数のポールのそれぞれは少なくとも１つの前記ポールスリーブを突き通り、前記複数のポールに前記柔軟なバッグ本体を拡げた状態で固定することにより前記柔軟なバッグ本体に構造を与える前記複数のポールスリーブと、
を備えるモジュール式ゴルフバッグ。
【請求項２】
請求項１に記載のモジュール式ゴルフバッグであって、前記各ポールの複数部分は露出してアクセス可能である、モジュール式ゴルフバッグ。
【請求項３】
請求項１に記載のモジュール式ゴルフバッグであって、前記複数のポールのそれぞれは１つのポールスリーブを突き通り、各ポールスリーブの長さは対応するポールの長さの半分以上である、モジュール式ゴルフバッグ。
【請求項４】
請求項１に記載のモジュール式ゴルフバッグであって、前記複数のポールのそれぞれは、前記ポールスリーブの長さに沿って間隔をあけて複数の開口部を有している１つのポールスリーブを突き通り、前記開口部を経て前記ポールの複数部分が露出してアクセス可能である、モジュール式ゴルフバッグ。
【請求項５】
請求項１に記載のモジュール式ゴルフバッグであって、前記複数のポールは、少なくとも４つのポールを含む、モジュール式ゴルフバッグ。
【請求項６】
請求項１に記載のモジュール式ゴルフバッグであって、前記複数のポールのうちの少なくとも２つのポール間に取外し可能に接続された少なくとも１つの追加の収納コンパートメントを更に備える、モジュール式ゴルフバッグ。
【請求項７】
請求項６に記載のモジュール式ゴルフバッグであって、前記少なくとも１つの追加の収納コンパートメントは、前記複数のポールのうちの前記少なくとも２つのポール間で、対応するポールの露出部分に接続される、モジュール式ゴルフバッグ。
【請求項８】
請求項６に記載のモジュール式ゴルフバッグであって、前記少なくとも１つの追加の収納コンパートメントは、複数のストラップ又は圧縮嵌合いずれかにより前記複数のポールのうちの前記少なくとも２つのポール間に接続される、モジュール式ゴルフバッグ。
【請求項９】
請求項６に記載のモジュール式ゴルフバッグであって、前記少なくとも１つの追加の収納コンパートメントは、前記複数のポールのうちの前記少なくとも２つのポール間に接続され、前記少なくとも１つの追加の収納コンパートメントの複数のコネクタが、前記複数のポールのうちの前記少なくとも２つのポールに対応するポールスリーブに直接接触する、モジュール式ゴルフバッグ。
【請求項１０】
請求項６に記載のモジュール式ゴルフバッグであって、前記少なくとも１つの追加の収納コンパートメントは、前記複数のポールのうちの前記少なくとも２つのポール間における複数位置に取外し可能に接続可能である、モジュール式ゴルフバッグ。
【請求項１１】
ゴルフクラブを受入れ可能なフレームトップと、
約ゴルフクラブの長さ分、前記フレームトップの下方に位置するフレームボトムと、
前記フレームトップと前記フレームボトムとを接続する少なくとも３つのポールと、
前記フレームトップを経てゴルフクラブを受入れ可能な空洞が形成されるように、前記少なくとも３つのポールの内側に前記フレームトップと前記フレームボトムとの間に延在する柔軟なバッグ本体と、
前記柔軟なバッグ本体に取付けられ、前記少なくとも３つのポールのうちの１つのポールの長さの少なくとも一部をそれぞれが包囲する複数のポールスリーブであって、前記ポールのそれぞれは少なくとも１つの前記ポールスリーブを突き通り、前記少なくとも３つのポールに前記柔軟なバッグ本体を拡げた状態で固定することにより前記柔軟なバッグ本体に構造を与える前記複数のポールスリーブと、
前記少なくとも３つのポールのうちの少なくとも２つのポール間に取外し可能に接続された少なくとも１つの追加の収納コンパートメントと、
を備えるモジュール式ゴルフバッグ。
【請求項１２】
請求項１１に記載のモジュール式ゴルフバッグであって、前記少なくとも３つのポールのそれぞれは、前記ポールの複数部分が露出してアクセス可能となるように、前記ポールの長さに沿って間隔をあけた前記複数のポールスリーブのうちの少なくとも２つのポールスリーブを突き通る、モジュール式ゴルフバッグ。
【請求項１３】
請求項１２に記載のモジュール式ゴルフバッグであって、前記少なくとも１つの追加の収納コンパートメントは、少なくとも２つのポールの間で、対応するポールの露出部分に接続される、モジュール式ゴルフバッグ。
【請求項１４】
請求項１２に記載のモジュール式ゴルフバッグであって、前記少なくとも１つの追加の収納コンパートメントは、前記少なくとも２つのポールの間における複数の位置に取外し可能に接続可能である、モジュール式ゴルフバッグ。
【請求項１５】
請求項１１に記載のモジュール式ゴルフバッグであって、前記少なくとも３つのポールのそれぞれは、前記ポールスリーブの長さに沿って間隔をあけた複数の開口部を有している１つのポールスリーブを突き通り、前記開口部を経て前記ポールの複数部分が露出してアクセス可能である、モジュール式ゴルフバッグ。
【請求項１６】
請求項１５に記載のモジュール式ゴルフバッグであって、前記少なくとも１つの追加の収納コンパートメントは、前記少なくとも２つのポールの間で、対応するポールの露出部分に接続される、モジュール式ゴルフバッグ。
【請求項１７】
請求項１５に記載のモジュール式ゴルフバッグであって、複数の異なる追加の収納コンパートメントを、前記少なくとも２つのポールの間の同じ位置に取外し可能に接続可能である、モジュール式ゴルフバッグ。
【請求項１８】
ゴルフクラブを受入れ可能なフレームトップと、
約ゴルフクラブの長さ分、前記フレームトップの下方に位置するフレームボトムと、
前記フレームトップと前記フレームボトムとを接続する少なくとも４つのポールと、
前記フレームトップを経てゴルフクラブを受入れ可能な空洞が形成されるように、前記少なくとも４つのポールの内側において前記フレームトップと前記フレームボトムとの間に延在する柔軟なバッグ本体と、
前記柔軟なバッグ本体に取付けられ、前記少なくとも４つのポールのうちの１つのポールの長さの少なくとも一部をそれぞれが包囲する複数のポールスリーブであって、前記ポールのそれぞれは少なくとも１つの前記ポールスリーブを突き通り、前記少なくとも４つのポールに前記柔軟なバッグ本体を拡げた状態で固定することにより前記柔軟なバッグ本体に構造を与え、各ポールスリーブはポールスリーブの長さに沿って間隔をあけて複数の開口部を有しており、該開口部を経て前記ポールの複数部分が露出してアクセス可能であり、前記ポールの、露出してアクセス可能な部分のそれぞれが取付箇所となるようにする、前記複数のポールスリーブと、
前記少なくとも４つのポールのうちの少なくとも２つのポールにおける取付箇所間に取外し可能に接続された少なくとも１つの追加の収納コンパートメントと、
を備えるモジュール式ゴルフバッグ。
【請求項１９】
請求項１８に記載のモジュール式ゴルフバッグであって、複数の異なる追加の収納コンパートメントを、同じ取付箇所間に取外し可能に接続可能である、モジュール式ゴルフバッグ。
【請求項２０】
請求項１８に記載のモジュール式ゴルフバッグであって、前記少なくとも１つの追加の収納コンパートメントは、前記少なくとも４つのポールのうちの最初の２つのポールの取付箇所間、及び、前記少なくとも４つのポールのうちの、前記最初の２つのポールとは異なる第２の２つのポールの取付箇所間の双方に取外し可能に接続可能である、モジュール式ゴルフバッグ。
【発明の詳細な説明】
【技術分野】
【０００１】
本発明は、ゴルフバッグに関する。より詳細には、本発明は、外部フレームと、この外部フレームに様々な形態で取付けることができるモジュール式収納コンパートメントとを有する軽量モジュール式ゴルフバッグに関する。
【背景技術】
【０００２】
ゴルフバッグは、上手にプレイするのに必要な数のゴルフクラブを持ち運ぶのが困難なために、ゴルフのゲームに不可欠な一部となっている。従来、ゴルフバッグは、ゴルフクラブを保持するためのメインのコンパートメントと、ゴルフボール、ティー、タオルといったアイテムを保持するための様々なアクセサリコンパートメントと、を有するようにデザインされている。また、従来のゴルフバッグは、頑丈な材料から作製され、バッグをいくらか重くしている。重いバッグを持ち運ぶことは、ゴルファーを疲労させ、ゴルファーの成績に悪影響を及ぼし得る。また、ゴルファーによって使用されないアクセサリコンパートメントは、バッグの一部のままであり、持ち運ばなければならず、既に重いバッグを更に重くしている。ゴルファーはまた、コンパートメントの異なる選択を望むこともあるが、製造業者により選択されたコンパートメントに制限されている。
【発明の概要】
【０００３】
本概要は、以下の詳細な説明において更に説明される概念の選択を、簡略化した形で紹介するために提供される。本概要は、請求の主題の重要な特徴又は本質的な特徴を特定することを意図するものではなく、また請求の主題の範囲を決定付けるのに役立てるものとして用いることを意図するものでもない。
【０００４】
外部フレームを有するモジュール式ゴルフバッグが提供される。フレームトップが、ゴルフクラブを受入れることができる。フレームボトムが、約ゴルフクラブの長さ分、フレームトップの下方に位置する。複数のポールが、フレームトップとフレームボトムとを接続する。柔軟なバッグ本体が、複数のポールより内側にて、フレームトップを経てゴルフクラブを受入れ可能な空洞が形成されるように、フレームトップとフレームボトムとの間に延在する。複数のポールスリーブが、柔軟なバッグ本体に取付けられる。複数のポールスリーブのそれぞれは、複数のポールのそれぞれが少なくとも１つのポールスリーブを突き通るように、複数のポールのうちの１つのポールの長さの少なくとも一部を包囲する。複数のポールスリーブは、複数のポールに柔軟なバッグ本体を拡げた状態で固定することにより柔軟なバッグ本体に構造を与える。少なくとも１つの追加の収納コンパートメントが、複数のポールのうちの少なくとも２つのポール間に取り外し可能に接続されてもよい。
【０００５】
本発明は、添付の図面を参照して、以下に詳細に説明される。
【図面の簡単な説明】
【０００６】
【図１】本発明の一実施形態に係るモジュール式ゴルフバッグであって、各ポールの長さに沿って間隔をあけて多数のポールスリーブを有しているゴルフバッグの背面斜視図である。
【図２】図１のモジュール式ゴルフバッグの側面斜視図である。
【図３】本発明の一実施形態に係るモジュール式ゴルフバッグであって、各ポールの長さに沿って間隔をあけて少数のポールスリーブを有しているゴルフバッグの正面斜視図である。
【図４】図３のモジュール式ゴルフバッグの側面斜視図である。
【図５】本発明の一実施形態に係るモジュール式ゴルフバッグであって、各ポールにつき単一のポールスリーブを有しているゴルフバッグの正面斜視図である。
【図６】図５のモジュール式ゴルフバッグの側面斜視図である。
【図７】本発明の一実施形態に係るモジュール式ゴルフバッグであって、各ポールスリーブの長さに沿って間隔をあけて複数の開口部を有している複数のポールスリーブと、複数の追加の収納コンパートメントとを備えているゴルフバッグの正面斜視図である。
【図８】図７のモジュール式ゴルフバッグの側面斜視図である。
【図９】図７及び図８のモジュール式ゴルフバッグの側面斜視図である。
【図１０】図７−図９に示される追加の収納コンパートメント７２４の背面斜視図である。
【発明を実施するための形態】
【０００７】
従来のゴルフバッグは重く、また従来のゴルフバッグの収納コンパートメントは設定可能ではない。本発明は、軽量であって外部フレームを有するモジュール式ゴルフバッグを提供する。モジュール式の追加のコンパートメントを、様々な設定で外部フレームに取外し可能に接続可能である。本発明の実施形態が、図１−図１０に示される。
【０００８】
図１は、モジュール式ゴルフバッグ１００の背面１０２を例示する。フレームトップ１０４が、ゴルフクラブを受け入れることができる。いくつかの実施形態において、フレームトップ１０４は開口している。他の実施形態において、フレームトップ１０４は、リム及びチャック式のカバーを含む。フレームボトム１０６が、約ゴルフクラブの長さ分、フレームトップ１０４の下方に位置している。複数のポール１０８及び１１０が、フレームトップ１０４とフレームボトム１０６とを接続する。柔軟なバッグ本体１１２が、ポール１０８及び１１０の内側にある。柔軟なバッグ本体１１２は、フレームトップ１０４を経てゴルフクラブを受入れることができる空洞（不図示）が形成されるように、フレームトップ１０４とフレームボトム１０６との間に延在する。
【０００９】
複数のポールスリーブ１１４、１１６、１１８、１２０、１２２、及び１２４が、柔軟なバッグ本体１１２に取付けられている。ポールスリーブ１１４、１１６、及び１１８のそれぞれは、ポール１０８の長さの少なくとも一部を包囲する。同様に、ポールスリーブ１２０、１２２、及び１２４のそれぞれも、ポール１１０の長さの少なくとも一部を包囲する。ポール１０８及び１１０のそれぞれは、少なくとも１つのポールスリーブを突き通る。ポールスリーブ１１４、１１６、１１８、１２０、１２２、及び１２４は、ポール１０８及び１１０に柔軟なバッグ本体１１２を拡げた状態で固定することにより、柔軟なバッグ本体１１２に構造を与える。図１において、明りょう性のためにポールスリーブ１１４、１１６、１１８、１２０、１２２、及び１２４のみに番号を付したが、図１は、ポール１０８及び１１０の実質的に全長にわたって間隔をあけた複数のポールスリーブを例示していることが理解される。
【００１０】
図２は、図１のモジュール式ゴルフバッグ１００の側面２０２を例示している。図１において示されるポール１１０、フレームトップ１０４、フレームボトム１０６、並びにポールスリーブ１２０、１２２、及び１２４も、図２において見ることができる。第３のポール２０４が、フレームトップ１０４からフレームボトム１０６にまで延在する。図１に示されるポール１０８及び１１０と同様に、ポール２０４は、ポール２０４の長さに沿って間隔をあけたポールスリーブ２０６、２０８、及び２１０を含む多数のポールスリーブを突き通る。
【００１１】
図１及び図２に例示される斜視図では、３つのポールしか見ることができないが、バッグ１００は、４つのポールを備える。いくつかの実施形態において、本発明によるモジュール式ゴルフバッグは、２つのポール、３つのポール、４つのポール、又は４つを越える数のポールを含む。図１におけるポール１０８及び１１０は、実質的に直線状である。図２におけるポール２０４は、フレームトップ１０４からフレームボトム１０６にかけて湾曲している。本発明に係るモジュール式ゴルフバッグの多様な実施形態における複数のポールは、ポールの数と同様に、様々なポールの配置構成を有してもよいと考えられる。例えば、複数のポールは互いに交差してもよく、又は複数のポールがフレームトップからフレームボトムにかけて斜めに延在してもよい。
【００１２】
ポールスリーブに突き通すポール１０８、１１０、２０４、及び第４のポール（不図示）の使用により、モジュール式ゴルフバッグ１００のための軽量な外部フレームが実現する。“外部フレーム”は、実質上、バッグ本体の外側に構造支柱を有する。図１及び図２において、ポール１０８、１１０、２０４、及び第４のポール（不図示）は、実質上、バッグ１００の側面境界を形成し、柔軟なバッグ本体１１２は、フレームトップ１０３からフレームボトム１０６まで側面境界の内側に延在する。“内側”とは、柔軟なバッグ本体１１２が、実質上、ポール１０８、１１０、２０４、及び第４のポールによって境界される領域の内側にあることを意味する。
【００１３】
ポール１０８、１１０、及び２０４は、ポール１０８、１１０、及び２０４に柔軟なバッグ本体１１２を拡げた状態で固定することにより、柔軟なバッグ本体１１２に構造を与える。即ち、ポール１０８、１１０、及び２０４により提供される外部フレームは、あたかも柔軟なバッグ本体１１２が膨らませられたか、又は液体で満たされたかのように、柔軟なバッグ本体１１２を“開いた”状態又は“満杯”状態に保持する。バッグ１００は、ポール１０８、１１０、及び２０４がポールスリーブを突き通ると、バッグ本体１１２に含まれている各パネルが、２つ以上のポール間に延在して、柔軟なバッグ本体１１２が実質的にピンと張るようにデザインされる。柔軟なバッグ本体１１２はしなやかであるため、バッグ本体１１２は、ポールスリーブ無しでは開いて拡がったままにならない。図１及び図２において、各ポールの複数の部分は、露出してアクセス可能である。露出部分２１２及ぶ２１４のようなポール露出部分は、図７−図１０を参照して後述するように、追加の収納コンパートメントのための取付箇所として使用可能である。
【００１４】
ポールスリーブの多様な構成及び形式が考えられる。図３及び図４は、図１及び図２に例示されるポールスリーブよりも大きなポールスリーブを有するモジュール式ゴルフバッグ３００を例示している。図３には、バッグ３００の前面３０２が示される。ポール３０４及び３０６が、フレームトップ３０８からフレームボトム３１０にまで延在する。バッグ３００は、図１及び図２に例示される小さなポールスリーブではなく、各ポールの長さに沿って間隔をあけた４つの大きなポールスリーブを有しており、ポールスリーブ３１０、３１２、３１４、及び３１６が、ポール３０４の長さに沿って間隔をあけて、また、ポールスリーブ３１８、３２０、３２２、及び３２４が、ポール３０６の長さに沿って間隔をあけて設けられている。一実施形態において、ポールスリーブ３１０、３１２、３１４、及び３１６は、実質上、ポール３０４の長さの及び単一のポールスリーブとし、このポールスリーブに開口部をあけて、ポールの部分３２６、３２８、及び３３０を露出させ、アクセスできるようにすることができる。当該形式の実施形態は、図７−図９において図示及び説明される。
【００１５】
図３において、モジュール式ゴルフバッグ３００は、柔軟なバッグ本体３３６に取付けられた水筒用コンパートメント３３２及び取手３３４を有する。いくつかの実施形態において、追加の収納コンパートメントが取外せないように柔軟なバッグ本体に取付けられることはない。他の実施形態において、例えば水筒用コンパートメント３３２といった一般的に望まれる１つ以上の追加の収納コンパートメントは、取外せないように取付けられる。図４は、モジュール式ゴルフバッグ３００の側面斜視図を例示している。本発明の実施形態に係るモジュール式ゴルフバッグには、図７−図１０に例示されるように、モジュール式の追加の収納コンパートメントを取外し可能に接続してもよい。
【００１６】
図５は、モジュール式ゴルフバッグ５００の正面５０２を例示している。ポール５０４及び５０６が、フレームトップ５０８からフレームボトム５１０にまで延在する。ポール５０４はポールスリーブ５１２を突き通り、ポール５０６はポールスリーブ５１４を突き通る。ポールスリーブ５１２及び５１４は、ポール５０４及び５０６と実質的に同じ長さである。いくつかの実施形態において、ポールスリーブ５１２及び５１４の長さは、対応するポールの長さの半分よりも長い。図６は、モジュール式ゴルフバッグ５００の側面斜視図を例示している。
【００１７】
図７は、ポールスリーブ７０２及び７０４を有するモジュール式ゴルフバッグ７００を例示している。ポールスリーブ７０２及び７０４は、各ポールスリーブの長さに沿って間隔をあけて複数の開口部７０６、７０８、７１０、７１２、７１４、及び７１６を有する。図７は、ポールスリーブ７０２及び７０４の実質的に全長に沿って間隔をあけた複数の開口部を示しているが、明りょう性のため各ポールスリーブに沿った３つの模範的な開口部にだけ番号を付していることが理解される。上述したように、いくつかの実施形態において、ポールスリーブ７０２及び７０４は、開口部があるところにはポールスリーブがない個別のポールスリーブに分けることができる。
【００１８】
また、モジュール式ゴルフバッグ７００は、追加の収納コンパートメント７１８、７２０、７２２、及び７２４とバックパッド７２６とを含む。各追加の収納コンパートメント７１８、７２０、７２２、及び７２４とバックパッド７２６は、２つのポール間に取外し可能に接続される。追加の収納コンパートメント７１８及び７２４は、ポール７２８と７３０との間に取外し可能に接続される。追加の収納コンパートメント７２０及び７２２とバックパッド７２６が取外し可能に接続された第２のポールは、図８及び図９に示される。
【００１９】
図７−図９は、対応するポールの露出部分に接続された追加の収納コンパートメント７１８、７２０、７２２、及び７２４とバックパッド７２６とを例示している。取外し可能に接続される追加の収納コンパートメントにより、ゴルファーは、自身のバッグに用いる特定のコンパートメントを選択可能となる。ゴルファーは、コンパートメントを追加又は取外すことにより、重量を最小限に抑えて機能性を最大にするように状況を変えることができる。また、ゴルファーは、同一形式の多数のコンパートメントを選択したり、典型的なアクセサリコンパートメントのレイアウトを逆にして、左利きのゴルファーにはそれなりに自身のバッグに反映させたり、又は他の個人向けの変更をしたりすることができる。
【００２０】
取外し可能な接続は、様々な方法により実現可能である。例えば、各コンパートメントは、バックル形式の留め具付きの複数のストラップを有してもよく、又はフック若しくは“Ｃ字型”部品といったような、圧縮嵌合を可能にするコネクタを有してもよい。図７には、例えば、ポール７２８及び７３０にまで延びて、露出してアクセス可能なポール部分に巻きつけるストラップ７３２、７３４、７３６、及び７３８を有する追加の収納コンパートメント７２４が図示されている。
【００２１】
露出してアクセス可能なポールの部分は、ストラップをポールの露出部分の周りに完全に巻きつけることを可能にする。図５及び図６のバッグ５００のように、実質的にポール長さのポールスリーブを有する実施形態では、圧縮嵌合のほうがより好適である。しかしながら、いくつかの実施形態において、ポールの一部が露出しておらずアクセス可能でない場合であっても、ポールと、これに対応するポールスリーブとの両方の周りに追加の収納コンパートメントをストラップで固定するのに適応させるために、柔軟なバッグ本体自体がスリットを有してもよい。かかる場合、コネクタは、ポールの露出部分ではなく、直接ポールスリーブに接触する。或いは、ポールスリーブは、ポール及びポールスリーブの両方の周りにストラップを巻きつけるためのスペースを残すことで、ポールスリーブの全長に沿って柔軟なバッグ本体に取付けられなくてもよい。例えばポールスリーブに嵌め込んだグロメットのような、他の接続機構も考えられる。
【００２２】
図８及び図９は、モジュール式ゴルフバッグ７００の側面図である。図７−図９は、２つのポールのみの間に取外し可能に接続された各追加の収納コンパートメントを示しているが、追加の収納コンパートメントは、同様に３つ以上のポールの間に取外し可能に接続されてもよい。追加の収納コンパートメントは、少なくとも２つのポールの間の複数の位置において取外し可能に接続される。例えば、追加の収納コンパートメント７２４は、バッグ７００の中央付近に取外し可能に接続されているように示されているが、コンパートメント７２４は、他の様々な取付箇所に接続することもできる。一具体例において、追加の収納コンパートメント７１８及び７２４は入替えてもよい。
【００２３】
ゴルフバッグ７００のモジュール性は、複数の異なる追加の収納コンパートメントを同じ取付箇所の間に取外し可能に接続することを可能にし、また、ポールの配置に応じて、第１の複数のポールの取付箇所の間、及び第１の複数のポールとは異なる第２の複数のポールの取付箇所の間の双方に、特定の追加の収納コンパートメントを取外し可能に接続することができる。“取付箇所”とは、追加の収納コンパートメントを接続できる任意の潜在的な位置をいう。したがって、取付箇所は、モジュール式ゴルフバッグのデザインに応じて変化する。図７−図９では、各ポール露出部分が取付箇所である。Ｃ字状のコネクタを有する圧縮嵌合を用いる場合、各ポールは本来１つの大きな取付箇所となる。
【００２４】
図１０において、追加の収納コンパートメント７２４の背面図が図示される。ストラップ７３２、７３４、７３６、７３８は、追加の収納コンパートメント７２４から延びて、ポール露出部分の周囲に巻かれる。図１０は一例であって、様々な接続方法が考えられる。
【００２５】
図１−図９に例示される多様な形式のポールスリーブは、様々な方法で柔軟なバッグ本体に取付けることができる。いくつかの実施形態において、ポールスリーブは柔軟なバッグ本体に縫付けることができる。また、ポールスリーブは実質的に均等に間隔をあけて示されているが、ポールスリーブは所望される任意の間隔又は位置において間隔をあけてもよい。ポールは、グラスファイバー、アルミニウム、チタン、又は他の軽量で頑丈な材料で作製することができる。柔軟なバッグ本体は、ナイロン又は他の軽量で丈夫な、天然と合成繊維の両方を含む材料で作製することができる。
【００２６】
本発明をいずれも制限的ではない、例示的なものとして特定例につき説明したが、本発明の範囲から逸脱しない本発明に関連する代替例は当業者に明らかである。
【００２７】
前述したところから明らかなように、本発明は、上述した全ての結果及び目的を、システム及び方法に自明で固有の他の利点と共に達成するのに優れたものである。所定の特徴及びサブコンビネーションは有用であり、他の特徴及びサブコンビネーションを参照することなく用い得ることが理解されるであろう。このことは、請求の範囲により企図され、それに含まれる。
【図１】
2014531953.tif 000003
【図２】
2014531953.tif 000004
【図３】
2014531953.tif 000005
【図４】
2014531953.tif 000006
【図５】
2014531953.tif 000007
【図６】
2014531953.tif 000008
【図７】
2014531953.tif 000009
【図８】
2014531953.tif 000010
【図９】
2014531953.tif 000011
【図１０】
2014531953.tif 000012
【国際調査報告】
2014531953.tif 000013